(57)【要約】【課題】    記録媒体上の未定着トナー像を無端状の定着ベルトに当接させて、電磁誘導加熱装置によって加熱溶融し、記録媒体に定着させる定着装置において、記録媒体を定着ベルトから良好に剥離するとともに、定着ベルトと電磁誘導加熱装置との接触を防いで良好な定着画像を得る。【解決手段】    定着ベルト１の内周面に弾性体３ｂが押圧され、定着ベルトが周回駆動することによって弾性体が周回方向の下流側へ突き出すように変形する。定着ベルトは弾性体の形状に沿って大きな曲率で曲げ回されるため、記録媒体は自身の剛性によって定着ベルトから剥離され易くなる。一方、電磁誘導加熱装置５は、周方向における中心部がニップ部から上下流側へほぼ等距離となる位置より下流側で、定着ベルトに対向するように支持されている。このため、定着ベルトが圧接部分の下流側に大きく張り出して周回移動しても、定着ベルトと電磁誘導加熱装置とが接触するのが防止される。【選択図】    図１
2005062554.tif 000002
【特許請求の範囲】
【請求項１】
周方向に無張力状態で周回が可能に支持された無端状の定着ベルトと、
前記定着ベルトの外周面が押圧され、回転駆動されることによって前記定着ベルトを周回駆動する加圧ロールと、
前記定着ベルトの内周面に当接され、該定着ベルトを前記加圧ロールに押しつける押圧部材と、
前記定着ベルトの外周面と間隙をおいて対向するように配置され、前記定着ベルトが有する金属層に渦電流を誘導して発熱させる電磁誘導加熱装置と、を有し、
前記押圧部材は、前記定着ベルトの内周面に接触する弾性体と、この弾性体を背面側で支持する基部とを有するものであり、
前記弾性体は、前記定着ベルトの周回方向の下流側へ突き出すように変形し、前記定着ベルトを該突き出した部分に沿って大きな曲率で案内するものであり、
前記電磁誘導加熱装置は、該電磁誘導加熱装置の周方向における中心部が、前記定着ベルトの加圧ロールとの圧接部分から上下流側へほぼ等距離となる位置より下流側で、該定着ベルトに対向するように支持されていることを特徴とする定着装置。
【請求項２】
前記電磁誘導加熱装置は、該電磁誘導加熱装置の周方向における中心部が、前記定着ベルトの前記弾性体によって大きな曲率で曲げ回される位置から、上下流側へほぼ等距離となる位置で該定着ベルトに対向するように配置されていることを特徴とする請求項１に記載の定着装置。
【発明の詳細な説明】
【技術分野】
【０００１】
本発明は、プリンタ、複写機、ファクシミリ等の画像記録装置において用いられ、記録媒体上に担持された未定着トナー像を加熱溶融し、記録媒体に定着させる定着装置に関する。
【背景技術】
【０００２】
一般に、粉状のトナーを用いる画像形成装置においてトナー像を定着する工程は、トナー像を記録媒体上に静電的に転写した後、定着装置によってトナー像を記録媒体上に溶融圧着する方法が広く採用されている。この定着装置は、例えば、円筒状芯金の内部にハロゲンランプ等の発熱体を有する加熱ロールと、この加熱ロールに押圧される加圧ロールとで構成されており、加熱ロールと加圧ロールとの間に未定着トナー像を担持した記録媒体を挟み込んで加熱加圧し、トナー像を記録媒体に融着させて定着画像を形成する。
【０００３】
しかし、ハロゲンランプ等の発熱体を用いる場合、発熱体に電力を投入後、発熱体の輻射熱又は接触熱が加熱ロールの芯金や各層に伝達して、加熱ロールの表面が所定の温度に加熱されるのに時間を要する。このため、装置が起動する時や待機状態から復帰する時、加熱ロールのウォーミングアップに時間を要するとともに消費電力が大きくなってしまう。また、加熱ロールは加圧ロールの押圧力に対して剛性を維持するようにある程度の厚みを有する芯金からなるため、熱容量を低減することが難しく、これによりウォーミングアップ時間が長くなってしまう。さらに、ハロゲンランプは通常ガラス管を有しているため、ハロゲンランプ自身の熱容量も大きく、ハロゲンランプ自身を加熱するまでにも時間がかかってしまう。
【０００４】
このような事情から、加熱ロール等の定着部材を加熱する手段として、定着部材に導電性層を設け、電磁誘導加熱によって該導電性層を発熱させるものが知られている。
電磁誘導加熱は、変動磁界を発生する励磁コイルを導電性層に対向配置し、導電性層を貫通する磁束を発生させることにより、導電性層に渦電流が生じ発熱するものである。電磁誘導加熱によれば、極めて短い時間で導電性層を発熱させることができ、定着部材を直接加熱することができる。このため、加熱源としてハロゲンランプ等の発熱体を用いる場合に比べ、装置のウォーミングアップ時間を短縮することができる。又、励磁コイルは導電性層と対向するように定着部材の内側又は外側のいずれに配置することも可能であり、定着装置の構成に応じて任意の位置に配置することができる。
【０００５】
一方、定着部材は加熱ロールの他、無端状の定着ベルトが一般に用いられており、該無端状ベルトには複数の支持ロールによって張架されたタイプと、内部に押圧部材を有し無張架の状態で周回駆動されるタイプとがある。定着ベルトは薄肉の耐熱性樹脂等を基層とし、加熱ロールに比べ熱容量が小さいため、加熱ロールより短時間でウォーミングアップを行なうことができる。さらに、無張架タイプの定着ベルトは、他の部材との接触する面積を小さくすることができ、他の部材への熱移動が低減される。このため、一層効率の良いウォーミングアップを行なうことができる。
【発明の開示】
【発明が解決しようとする課題】
【０００６】
上記のような定着装置において、未定着トナー像を担持した記録媒体が定着部材と加圧部材との圧接部であるニップ部に送り込まれ、加熱押圧された後排出されるときに、記録媒体が定着部材から剥離しにくくなるという問題点がある。特に、厚みの薄い記録媒体や、高湿度下で放置され通常より含水量の多い記録媒体を用いたとき、記録媒体の進行方向の先端から数ミリの部分に多量のトナーが担持されて、加熱され溶融したトナーと定着部材との間に大きな付着力が生じるとき等に、ニップ部を通過した記録媒体が定着部材から剥離しにくくなってしまう。さらに、カラー画像を形成する場合には、記録媒体上に複数色のトナーが多量に担持されているため定着部材に付着し易い。
【０００７】
一方、上記定着ベルトは、定着動作時には加熱されて柔軟になっているため、押圧部材の形状に沿って滑らかに周回移動している。ところが、定着動作が終了して定着装置への電力供給がオフになると、定着ベルトは熱容量が小さいためにすぐに温度が低下して硬化し、ニップ部内において押圧部材と加圧ロールとの間で圧接された状態のまま硬化する。したがって、定着ベルトに押圧部材の形状に沿った痕、いわゆるニップ痕が残ってしまう。そして、再び定着動作が開始された時、定着ベルトは温度が上昇するまでニップ痕が残った状態で、すなわち略円形の断面形状より凹凸がある状態で周回駆動される。特に、記録媒体が定着ベルトから剥離し易いように、ニップ部出口付近で定着ベルトを大きな曲率で曲げ回すようにした場合には、ニップ痕による凹凸の発生が顕著となる。
【０００８】
また、無張架タイプの定着ベルトは、記録媒体と接触する領域は他の部材と接触しないようにして、熱の損失を低減できる点に利点があり、両端部のみで定着ベルトに接触するガイド部材が用いられ、幅方向における中央部では自身の剛性によって形状が維持される。このような装置では、定着ベルトが加圧ロールの回転に従動してニップ部に引き込まれると、該定着ベルトの中央部がニップ部の下流側に張り出し、周回駆動時にニップ部出口付近において定着ベルトが周面と直角の方向に振れ易い。
【０００９】
一般に電磁誘導加熱装置は、定着ベルトの外周面又は内周面と対向するように配置され、該電磁誘導加熱装置の周方向における中心部が、ニップ部と定着ベルトを挟んで反対側の位置、すなわちニップ部から上下流側へほぼ等距離となる位置に配置される。そして、電磁誘導加熱装置が定着ベルトの外周面に沿って配置されている場合には、定着ベルトがニップ部の下流側に張り出している部分で電磁誘導加熱装置と接触するおそれがある。特に、ニップ痕による凹凸があると、定着ベルトは電磁誘導加熱装置と接触し易い。電磁誘導加熱装置との接触によって定着ベルトの表面が傷付くと、この傷が実際の定着画像上に転移し、画像傷として見えてしまう。
【００１０】
また、定着ベルトの幅方向における中央部がニップ部の下流側に大きく張り出して電磁誘導加熱装置と接近するため、中央部の発熱量が両端部に比べて多くなり、定着ベルトの幅方向に温度ムラが生じて、両端部において定着不良となるおそれがある。そして、両端部で必要な定着性を得ようとすると、中央部の温度を必要以上に上げなくてはならず、ウォームアップが長くなったり、必要以上の電力を投入しなければならない。
【００１１】
さらに、定着ベルトが周面と直角の方向に振れて電磁誘導加熱装置との距離が変化することによって、該定着ベルトの周方向における発熱量が異なったり、ニップ痕が生じている部分が電磁誘導加熱装置に最も接近して発熱量が多くなり、定着ベルトの周方向に温度ムラが生じてしまう。
【００１２】
本願発明は、上記のような事情に鑑みてなされたものであり、その目的は、記録媒体上に担持された未定着トナー像を無端状の定着ベルトに当接させて、電磁誘導加熱装置によって加熱溶融し、記録媒体に定着させる定着装置において、記録媒体を定着ベルトから良好に剥離すること、及び、定着ベルトと電磁誘導加熱装置との接触を防いで良好な定着画像を得ることである。
【課題を解決するための手段】
【００１３】
上記の課題を解決するために、請求項１に係る発明は、  周方向に無張力状態で周回が可能に支持された無端状の定着ベルトと、  前記定着ベルトの外周面が押圧され、回転駆動されることによって前記定着ベルトを周回駆動する加圧ロールと、  前記定着ベルトの内周面に当接され、該定着ベルトを前記加圧ロールに押しつける押圧部材と、  前記定着ベルトの外周面と間隙をおいて対向するように配置され、前記定着ベルトが有する金属層に渦電流を誘導して発熱させる電磁誘導加熱装置と、を有し、  前記押圧部材は、前記定着ベルトの内周面に接触する弾性体と、この弾性体を背面側で支持する基部とを有するものであり、  前記弾性体は、前記定着ベルトの周回方向の下流側へ突き出すように変形し、前記定着ベルトを該突き出した部分に沿って大きな曲率で案内するものであり、  前記電磁誘導加熱装置は、該電磁誘導加熱装置の周方向における中心部が、前記定着ベルトの加圧ロールとの圧接部分から上下流側へほぼ等距離となる位置より下流側で、該定着ベルトに対向するように支持されていることを特徴とする定着装置を提供する。
【００１４】
また、請求項２に係る発明は、  請求項１に記載の定着装置において、前記電磁誘導加熱装置は、該電磁誘導加熱装置の周方向における中心部が、前記定着ベルトの前記弾性体によって大きな曲率で曲げ回される位置から、上下流側へほぼ等距離となる位置で該定着ベルトに対向するように配置されているものとする。
【００１５】
上記押圧部材の弾性体は、定着ベルトの内周面に押圧され、この定着ベルトが周回移動することによって、周回方向の下流側へ突き出すように変形する。このため、定着ベルトは弾性体によって内面から下流側に向かって押圧され、弾性体が突き出した部分に沿って大きな曲率で案内される。一方、記録媒体はそれ自身の剛性により、ニップ出口における加圧ロールの接線方向へ排出される。これにより、定着ベルトは記録媒体から離れる方向に移動し、該定着ベルトから記録媒体が良好に剥離される。また、この定着ベルトは、押圧部材以外の部材とはほとんど接触せずに周回移動するため、他の部材に熱を奪われることが少なく、効率良く所定の温度まで加熱される。
【００１６】
上記定着ベルトは、弾性体が突き出した部分に沿って大きな曲率で湾曲した状態で回転駆動されるが、定着動作が終了して電磁誘導加熱装置への電力投入をオフにすると温度が低下して硬化し、該定着ベルトの一部にニップ部に沿った形状が残留する。そして、定着動作が再開されたとき、定着ベルトは温度が上昇して軟化するまで、ニップ痕の凸状となった部分が定着ベルトの周方向に張り出した状態で回転駆動される。また、この定着ベルトは自身の剛性によって形状が維持されているため、加圧ロールの回転に従動して圧接部分に引き込まれ、該圧接部分の下流側へ張り出した形状で回転駆動される。
【００１７】
上記電磁誘導加熱装置は、該電磁誘導加熱装置の周方向における中心部が、定着ベルトの加圧ロールとの圧接部分から上下流側へほぼ等距離となる位置より下流側で、該定着ベルトに対向するように支持されており、ニップ部の下流側では、定着ベルトが他の部材と対向しない領域が広く設けられている。このため、定着ベルトが圧接部分の下流側に大きく張り出して周回移動しても、定着ベルトと電磁誘導加熱装置とが接触するのが防止される。そして、電磁誘導加熱装置との接触によって定着ベルトの表面が傷付くのを防いで、良好な定着画像を得ることができる。また、定着ベルトの幅方向における中央部がニップ部の下流側に大きく張り出したり、ニップ部の出口付近において定着ベルトが周面と直角方向に大きく振れても、定着ベルトの幅方向又は周方向の一部が電磁誘導加熱装置に接近して、過剰に加熱されるのを防止することができる。そして、幅方向又は周方向にほぼ均一に加熱することができる。
【００１８】
また、定着ベルトが弾性体によって大きな曲率で曲げ回される位置は、弾性体によって外側へ大きく突き出されており、この曲げ回される位置から上下流側へほぼ等距離となる位置において定着ベルトの周方向の張り出しが最も小さくなる。さらに、周面の回転時の振れも最も小さくなる。上記電磁誘導加熱装置は、該電磁誘導加熱装置の周方向における中心部が、この位置で定着ベルトに対向するように配置されているため、定着ベルトと電磁誘導加熱装置とが接触するのを防止することができ、さらに、これらの間隔が大きく変動するのを防止することができる。
【発明の効果】
【００１９】
以上説明したように、本願発明によれば、押圧部材の弾性層は、定着ベルトの内面に押圧されたときに、定着ベルトの周回移動方向における下流側へ突き出すように変形し、定着ベルトは記録媒体に圧接される領域の下流側で大きな曲率となる。このため、記録媒体は定着ベルトと加圧ロールとの圧接部から排出されるとき、自身の剛性によって定着ベルトから離れる方向に排出され、定着ベルトから良好に剥離される。
【００２０】
また、電磁誘導加熱装置は、該電磁誘導加熱装置の周方向における中心部が、定着ベルトの加圧ロールとの圧接部分から上下流側へほぼ等距離となる位置より下流側で、該定着ベルトに対向するように支持されている。このため、定着ベルトが圧接部分の下流側に大きく張り出して周回移動しても、定着ベルトと電磁誘導加熱装置とが接触するのが防止される。そして、電磁誘導加熱装置との接触によって定着ベルトの表面が傷付くのを防いで、良好な定着画像を得ることができる。さらに、幅方向においても、周方向においても、温度ムラが減るため、光沢のムラが無い良好な画質を得ることができる。
【発明を実施するための最良の形態】
【００２１】
以下、本願に係る発明の実施の形態を図に基づいて説明する。
図１及び図２は、本願に係る発明の一実施形態である定着装置の概略断面図及び概略正面図である。なお、図２において、一部の部材は断面で示している。
この定着装置は、無端状の周面を有する定着ベルト１と、この定着ベルト１の外周面に当接される加圧ロール２と、定着ベルト１の背面側に当接され、定着ベルト１を加圧ロール２に押圧する押圧パッド３と、該押圧パッドを支持するパッド支持部材４と、押圧パッド３と定着ベルト１との間に設けられており、摺動性が良く、耐摩耗性が高い摺動シート９と、定着ベルト１の外周面に沿って設けられ、該定着ベルト１を加熱する電磁誘導加熱装置５と、定着ベルト１の両側縁部の内周面に当接されているガイド部材６ａ、６ｂと、加圧ロール２と押圧パッド３との圧接部の下流側で、加圧ロール２の周面に当接されている金属ロール７と、この圧接部の出口近傍に設けられている剥離補助部材８と、で構成されている。
【００２２】
次に、上記定着装置が有する構成の詳細について説明する。
この定着ベルト１は、周方向（図中、矢印方向）への周回移動が可能かつ、幅方向の両端部と定着ニップ部以外では基本的には他の部材と接触することがないように、無張架で支持された薄肉の導電性層を有する無端状の柔軟なベルトから構成されている。上記定着ベルト１は、図３に示すように、その内側から、耐熱性の高いシート状部材からなる基層１ａと、当該基層１ａの上に積層された導電性層１ｂと、トナー像の定着性・画質を向上させる弾性層１ｃと、最も上層となる表面離型層１ｄとから構成されている。
【００２３】
上記基層１ａは、例えば、厚さ１０〜１５０μｍ、更に好ましくは厚さ５０〜１００μｍの耐熱性の高いシートであることが好ましく、例えばポリエステル、ポリエチレンテレフタレート、ポリエーテルサルフォン、ポリエーテルケトン、ポリサルフォン、ポリイミド、ポリイミドアミド、ポリアミド等の耐熱性の高い合成樹脂からなるものが挙げられる。
【００２４】
上記導電性層１ｂは、電磁誘導加熱装置５によって生じる磁界の電磁誘導作用により、誘導発熱する層であり、鉄・コバルト・ニッケル・銅・アルミニウム・クロム等の金属層を１〜８０μｍ程度の厚みで形成したものが用いられ、電磁誘導で十分な発熱が得られるような固有抵抗値となるように材質が選択される。
【００２５】
上記弾性層１ｃについては、ニップ部で記録紙上の未定着トナー像を覆ってトナー像を一様に加熱するためのものであり、例えば、ゴム硬度１０〜３０°（ＪＩＳ Ｋ ６３０１、ＪＩＳ Ａ又はＪＩＳ Ｋ ６２５３、デュロメータタイプＡスプリング式）程度のシリコーンゴムを１００〜６００μｍの厚さで用いることができる。
【００２６】
上記表面離型層１ｄは、記録紙上に転写された未定着トナー像と、直接接する層であるため、離型性の良い材料を使用する必要がある。この表面離型層１ｄを構成する材料としては、例えば、テトラフルオロエチレンパーフルオロアルキルビニルエーテル重合体（ＰＦＡ）、ポリテトラフルオロエチレン（ＰＴＦＥ）、シリコン共重合体、またはこれらの複合層等が挙げられる。上記表面離型層１ｄは、これらの材料のうちから適宜選択されたものを、１０〜５０μｍの厚さでベルトの最上層に設けたものである。この表面離型層１ｄの厚さは、薄すぎると、耐磨耗性の面で耐久性が悪く、定着ベルト１の寿命が短くなってしまい、逆に、厚すぎると、ベルトの熱容量が大きくなり、ウォームアップが長くなってしまう。
【００２７】
なお、この実施の形態では定着ベルトは4層構造となっているが、接着層や各層の保護層などを設けた5層、6層などのベルトであっても良いし、弾性層を削除した3層のベルトであっても良い。
【００２８】
本実施例では、上記定着ベルト１は、無拘束状態で内径約３０ｍｍの円形断面となるものであり、基層１ａは幅方向に座屈等が生じない程度の剛性を有するように８０μｍのポリイミドが用いられている。また、導電性層１ｂは、定着ベルト１の曲率が大きい場合でも永久変形やクラックが生じないように薄層であることが望ましく、基層上に蒸着又はメッキ等の手段によって１０μｍの銅が形成されている。導電性層上にはゴム硬度１５°（ＪＩＳ Ｋ ６３０１、ＪＩＳ Ａ又はＪＩＳ Ｋ ６２５３、デュロメータタイプＡスプリング式）、厚さ３００μｍのシリコーンゴムと、さらにその上に厚さ３０μｍのＰＦＡが積層されている。
【００２９】
上記加圧ロール２は、金属製の円筒状芯金２ａを芯材とし、該芯金２ａの表面にスポンジやゴムなどの弾性層２ｂと、さらに表面に表面離型層２ｃとを備えており、該加圧ロール２と押圧パッド３とで定着ベルト１を挟持した状態に保持して定着ニップを形成し、当該定着ニップを未定着トナー像が転写された記録紙を通過させることにより、熱及び圧力で未定着トナー像を記録紙上に定着して、定着画像を形成するようになっている。
【００３０】
本実施例では、加圧ロール２は、直径φ１８ｍｍの中実の円筒状芯金２ａの表面に、弾性層２ｂとして、厚さ５ｍｍのシリコーンスポンジ層が形成され、さらにその外側に、最上層である表面離型層２ｃとして厚さ５０μｍのテトラフルオロエチレンパーフルオロアルキルビニルエーテル重合体（ＰＦＡ）を被覆した、外径φ２３ｍｍの加圧ロール２が使用されている。この加圧ロール２は、２０ｋｇｆの荷重で定着ベルト１を介して押圧パッド３に圧接されており、駆動モータ（図示しない）によって回転駆動され、これにともなって定着ベルト１が従動回転する。
【００３１】
上記押圧パッド３は、図４に示すように、台座３ａ上に弾性部材３ｂを備え、定着ベルト１を加圧ロール２に押し付けるものであり、弾性部材３ｂと加圧ロール２との間にニップ部が形成される。弾性部材３ｂは、ニップ部の上流側から下流側にかけて厚さが増大しており、弾性部材３ｂの摺動シート９を介して定着ベルト１と当接される面１１が、加圧ロール２とほぼ同じ曲率を有する形状に湾曲している。この弾性部材３ｂが定着ベルト１の内面に押圧されると、弾性部材３ｂの厚さが増大している下流部１２が下流側に膨らみだすように変形し、さらに、定着ベルト１の周回移動にともなって、定着ベルト１の移動方向の下流側へ摩擦力が作用して突き出すように変形する。
【００３２】
本実施例では、上記押圧パッド３は、ＳＵＳ、鉄等の金属又は耐熱性を有する樹脂等からなる台座３ａ上に、弾性部材３ｂとしてゴム硬度２０°（ＪＩＳ Ｋ ６３０１、ＪＩＳ Ａ又はＪＩＳ Ｋ ６２５３、デュロメータタイプＡスプリング式）のシリコーンゴムが積層されている。このシリコーンゴムは周方向の水平長さが８．５ｍｍ、上流側の厚みが２．５ｍｍ、下流側の厚みが５ｍｍであり、曲率半径が１４ｍｍとなっている。
【００３３】
上記摺動シート９は、摺動性が良く、耐摩耗性に優れ、かつ熱に強い材料である必要があり、例えば、テフロン樹脂を含浸させたガラス繊維シート（中興化成工業：ＦＧＦ４００−４等）、オイルを保持しやすいゴアテックス（登録商標）のシートなどが用いられている。さらに定着ベルト１の内面には、潤滑オイル、潤滑グリース等の離型材を塗布してもよい。これにより、定着ベルト１は加圧ロール２に従動して加圧ロール２とほぼ同じ速度で周回し、加圧ロール２の駆動負荷を低減することができる。
【００３４】
本実施例では、摺動シート９としてテフロン樹脂を含侵させたガラス繊維シート(FGF400)を使用し、潤滑剤としてベルトの基層であるポリイミドとの濡れ性が優れているアミン変性シリコーンオイル 300cs を使用している。
【００３５】
上記パッド支持部材４は、図５に示すように、定着ベルト１の幅方向に軸線を有する棒状部材であり、この棒状部材の両端部４ａは切り欠かれて中央部付近より断面が小さくなっており、ガイド部材６が嵌め合わされる。この棒状部材の加圧ロール２と対向する部分には切り欠きが形成されており、この切り欠きに摺動シート９を挟み込むとともに押圧パッド３を嵌め合わせ、定着ベルト１を介して加圧ロール２から押圧パッド３に作用する圧接力を、この棒状部材によって負担する。パッド支持部材４の材料としては、たわみを一定量以下に抑えるためにある程度の剛性を有するとともに、電磁誘導加熱装置５による磁束の影響によって加熱されないものが望ましく、ガラス入りＰＰＳ（ポリフェニレンサルファイド）、フェノール、ポリイミド、液晶ポリマー等の耐熱性の樹脂や耐熱ガラスを用いることができる。また、電磁誘導加熱装置５による大きな発熱が生じないことが確認できれば、アルミニウム等の非磁性金属からなるものを配置して用いることもでき、本実施例では１辺が１２ｍｍのアルミニウムを使用している。
【００３６】
上記ガイド部材６は耐熱性樹脂からなり、図５に示すように、エッジガイド部２１と、内面ガイド部２２と、支持部２３とを備えるものである。エッジガイド部２１及び内面ガイド部２２の中央部付近には、パッド支持部材４の両端部４ａとほぼ同じ形状の切り欠き部２４が設けられており、この切り欠き部２４をパッド支持部材４の両端部４ａに嵌め合わせる。そして、内面ガイド部２２の端面２２ａがパッド支持部材４の断面が拡大している位置の垂直面に当接される。
なお、パッド支持部材４を軸方向に長くして、エッジガイド部２１及び内面ガイド部２２に貫通する切り欠き部２４を設け、パッド支持部材４の両端部４ａを切り欠き部２４に貫通させ、この貫通された部分を支持部としてもよい。
【００３７】
内面ガイド部２２は、ほぼ円筒曲面を有する部材であり、周方向の一部が切り欠かれ、この部分に押圧パッド３が配置される。内面ガイド部２２の曲面は、定着ベルト１の内周面の両側縁付近に当接され、定着ベルト１は内面ガイド部２２の外周面及び押圧パッド３の表面に沿った形状に拘束される。そして、定着ベルト１の両側縁付近は無張力状態もしくは所定の張力が導入された状態で内面ガイド部２２の曲面上を摺動する。これにともない、定着ベルト１の幅方向における中央部は、図１又は図２に示すように、押圧パッド３以外には内面に当接されるものがなくても自身の剛性によってほぼ一定の形状を維持し、パッド支持部材４から離れた位置に保持される。
【００３８】
エッジガイド部２１は、内面ガイド部２２より径が拡大されて張り出しており、パッド支持部材４の両端部４ａに嵌め合わされると、エッジガイド部２１は定着ベルト１の両縁部に近接又は当接される。これにより、定着ベルト１は、エッジガイド部２１によって幅方向の動きが規制されるため、安定した状態で周回駆動される。
【００３９】
上記電磁誘導加熱装置５は、励磁回路５ｄによって交流電流が印加される励磁コイル５ａと、当該励磁コイル５ａを支持するコイル支持部材５ｂと、コイルとベルト表面との絶縁を保ち、かつコイルの形状を保持するためのコイルカバー５ｃと、で主要部が構成されている。
この電磁誘導加熱装置５は、電磁誘導加熱装置５の周方向における中心部が、パッド支持部材４、ニップ部及び加圧ロール２の中心を結ぶ軸線Ａ−Ａ上の位置、すなわちニップ部から上下流側へほぼ等距離となる位置より下流側の軸線Ｂ−Ｂ上の位置となるように、定着ベルト１の外周面と所定の間隔をおいて配置されている。また、軸線Ｂ−Ｂ上の位置は、定着ベルト１が弾性部材３ｂによって大きな曲率で曲げ回される位置から、上下流側へほぼ等距離となる位置となっている。そして、コイル支持部材５ｂ及びコイルカバー５ｃが定着ベルト１の外周面に沿って約１８０°の領域を覆い、励磁コイル５ａが約１６０°の領域を覆っている。
【００４０】
上記励磁コイル５ａは、本実施例では、互いに絶縁された直径０．３ｍｍの銅線材を２５本束ねたリッツ線が用いられており、図６に示すように、連続したリッツ線が定着ベルト１の幅方向に平行に配置され、平行部分の両端部で折り返して巻き回されている。そして、コイル支持部材５ｂとコイルカバー５ｃとで挟み込むことにより保持された状態で、当該定着ベルト１に対して所定の間隔が得られるように設置されている。
【００４１】
上記コイル支持部材５ｂは、耐熱性のある非磁性・絶縁材料を用いるのが望ましく、例えば、耐熱ガラスや、ガラス入りポリエチレンテレフタレート、ガラス入りポリフェニレンサルファイド、ガラス入りポリブチレンテレフタレート、ポリエーテルサルフォン、液晶ポリマー等の耐熱性樹脂が用いられる。本実施例では、ガラス入りポリフェニレンサルファイドが用いられている。
【００４２】
上記コイルカバー５ｃは、励磁コイル５ａの定着ベルト１側の面の絶縁状態を保ち、かつ励磁コイルの形状を維持するために、励磁コイル５ａと定着ベルト１との間に配置されている。材料はコイル支持部材５ｂと同様で良いが、コイル支持部材よりも加熱部材である定着ベルト１に近いため、より耐熱性が要求され、また電磁誘導加熱装置とベルト表面との距離を所定の距離以下にするためには、より薄い肉厚で、かつ熱が加わった時でも反りなどの変形が発生し難く、コイルの形状を保ちやすい材料であることが好ましい。 本実施例では、ガラス入りポリフェニレンサルファイドを使用し、コイルカバーの板厚は1mmとしている。
【００４３】
なお、この電磁誘導加熱装置５では、磁束を強めるために、コイルの中央部分にフェライトなどの強磁性体からなる芯材を設けても良いし、耐熱性を有する樹脂等をボビンとして、それにコイルを巻き付けた状態で使用しても良い。
【００４４】
上記励磁回路５ｄは、この定着装置を用いる画像形成装置の本体に設けられており、この励磁回路５ｄから励磁コイル５ａに交流電流が供給されると、励磁コイル５ａの周囲に磁束が生成消滅を繰り返す。交流電流の周波数は、例えば、１０〜５０ｋＨｚに設定されるが、本実施例では、交流電流の周波数が３０ｋＨｚに設定されている。そして、この磁束が定着ベルト１の導電性層１ｂを横切るとき、その磁界の変化を妨げる磁界を生じるように導電性層中に渦電流が発生し、導電性層１ｂの表皮抵抗に比例した電力（Ｗ＝Ｉ2Ｒ）でジュール熱が発生する。これにより、定着ベルト１が所定の温度まで加熱される。
【００４５】
この電磁誘導加熱装置５では、電磁誘導によって適切な発熱量を得るためには、励磁コイル５ａと定着ベルト１の表面との距離を2.5mm以下にする必要がある。この距離が3mm以上になると、定着ベルト１への磁気的な影響が弱くなり、所定の有効電力を得るためには、コイルを流れる電流が増えて、コイルが自己発熱したり、電源のスイッチング素子に流れる電流が定格電流値を超えて素子が発熱して、電力効率が落ちてしまう。また、そのような状態のまま連続で装置を使用すると、電源のスイッチング素子の破損にもつながる。
本実施例では、厚さ1mmのコイルカバー５ｃが設けられているため、コイルカバー５ｃと定着ベルト１の表面との距離は1.5mm以下とする。
【００４６】
上記金属ロール７は、熱伝導性の良好なアルミニウムやステンレス等の金属やヒートパイプからなり、加圧ロール２の回転駆動にともなって従動回転するようになっている。本実施例では、アルミニウムからなる直径１０ｍｍの中実のロールが用いられている。また、金属ロール７の表面にトナー等が付着しにくいように、該金属ロール７の表面にＰＦＡ等の離型層を設けてもよい。定着装置に連続して幅方向の寸法が小さい用紙の通紙を行うと、定着ベルトの非通紙領域の温度が上昇してしまう。それにより加圧ロール２の非通紙領域の温度が上昇するため、この金属ロール７を加圧ロール２の周面に接触させ、加圧ロール２との間で熱交換することによって、加圧ロール２の軸方向に大きな温度差が生じるのを防ぎ、定着ベルトの非通紙領域の温度上昇を防止する。
【００４７】
上記剥離補助部材８は、ステンレス等の薄い板状部材からなり、先端部がニップ部の出口で定着ベルト１と近接対向するように配置されており、先端部と定着ベルト１との間隔が１ｍｍ以下になるように設定されている。この剥離補助部材８は、ニップ部を通過して定着ベルト１から剥離した記録紙の先端をすくい取り、記録紙が再び定着ベルト１に巻き付くのを防ぐものである。
【００４８】
次に、上記定着装置の動作について説明する。
イエロー、マゼンタ、シアン、ブラックの４色のトナーによるトナー像Ｔが画像信号に基づいて形成され、図示しない転写装置により記録紙Ｐに転写される。これらのトナーは、熱可塑性樹脂性のバインダに着色顔料を含有させることによって構成されている。
一方、トナー像を形成する動作が開始されるのとほぼ同時に、加圧ロール２の駆動モータ（図示しない）及び電磁誘導加熱装置５に電力が供給される。そして、加圧ロール２が回転すると、これに従動して定着ベルト１が回転を開始し、電磁誘導加熱装置５と対向する加熱領域を通過する際に、トナー像Ｔを加熱溶融するのに適当な温度まで加熱される。このとき、定着ベルト１は、両側縁付近は内面ガイド部２２に接触して摺動するが、中央部は定着ニップを形成する押圧パッド３が当接される部分以外では、他の部材に接触することなく周回移動している。したがって、他の部材に熱を奪われることが少なく、効率の良い加熱が行われる。
【００４９】
定着ベルト１が所定の温度まで加熱されると、未定着トナー像を担持した記録紙が、定着ベルト１と加圧ロール２とが接するニップ部に送り込まれる。ニップ部内では、定着ベルト１は加圧ロール２の周面に沿って湾曲しており、記録紙は定着ベルトに密接して搬送され、トナー像は定着ベルト１によって加熱溶融されると同時に、加圧ロール２と押圧パッド３との圧接力によって記録紙Ｐに圧着される。
【００５０】
一方、ニップ部出口付近では、押圧パッド３が有する弾性部材３ｂの下流部１２が、定着ベルトの移動方向の下流側へ突き出すように変形している。また、定着ベルト１の中央部は、押圧パッド３以外の部材には拘束されず、張力が作用しない状態で周回している。このため、定着ベルト１は、弾性部材３ｂが下流側に突き出した部分に拘束され、加圧ロール２の周面に沿って移動する。そして、突き出した部分の先端からは、定着ベルト１自身の剛性とガイド部材６による拘束の影響を受けて大きな曲率で曲げ回される。
【００５１】
これに対し、定着ベルト１と加圧ロール２との間で搬送される記録紙は、弾性部材３ｂが下流側に突き出した部分で加圧ロール２の周面に沿って移動し、弾性部材３ｂが突き出した部分の先端より下流側では、記録紙自身の剛性によって加圧ロール２のほぼ接線方向へ進行しようとする。したがって、大きく曲げ回される定着ベルト１は記録紙から引き離される。また、記録紙の先端が定着ベルト１から剥離されると、該記録紙は剥離補助部材８に接触し、この剥離補助部材８に案内されて確実に定着ベルト１から引き離される。
【００５２】
定着動作が終了すると、電磁誘導加熱装置５への電力供給がオフになり、定着ベルト１の周回が停止し、熱容量の小さい定着ベルト１は急激に温度が低下して硬化する。これにより、ニップ部出口付近において弾性部材３ｂの先端から大きな曲率で曲げ回される形状、及びニップ部内では該ニップ部に沿った形状が定着ベルトに残留し、いわゆるニップ痕が生じる。そして、再び定着動作が開始されたとき、定着ベルト１が温度上昇して軟化するまでは、該定着ベルト１はニップ痕が生じた部分が周面と直角方向に張り出した状態で回転駆動される。また、定着ベルト１の幅方向における中央部は、押圧パッド３以外には内面に当接されるものがなく、張力があまり作用していないため、該定着ベルト１は加圧ロール２の回転に従動してニップ部に引き込まれて、図７に示すように、中央部がニップ部の下流側に張り出す。特に、ニップ痕が生じている部分が大きく張り出す。
【００５３】
この定着装置では、電磁誘導加熱装置５は、該電磁誘導加熱装置５の周方向における中心部が、ニップ部から上下流側へほぼ等距離となる軸線Ａ−Ａ上の位置より下流側の軸線Ｂ−Ｂ上の位置となるように配置されており、ニップ部内の中心位置を０°としたとき、コイルカバー５ｃの上流側の端部は９０°より下流側に配置されている。このため、定着ベルト１がニップ部の下流側に張り出して周回移動してもコイルカバー５ｃに接触するのを防止することができる。そして、この接触によって定着ベルト１の表面が傷付くのを防いで、良好な定着画像を得ることができる。また、定着ベルトの幅方向における中央部がニップ部の下流側に大きく張り出したり、ニップ部の出口付近において定着ベルト１が周面と直角方向に大きく振れても、定着ベルト１の幅方向又は周方向の一部が励磁コイル５ａに接近して、過剰に加熱されるのを防止することができる。そして、幅方向又は周方向にほぼ均一に加熱することができ、光沢ムラのない良好な定着画像を得ることができる。さらに、ニップ部の出口付近において剥離補助部材８と励磁コイル５ａとが接近し、剥離補助部材８が加熱されてしまうのを防止できる。
【００５４】
また、電磁誘導加熱装置５の周方向における中心部の位置Ｂは、定着ベルト１の弾性部材３ｂによって大きな曲率で曲げ回される位置から、上下流側へほぼ等距離となる位置となっている。このため、定着ベルト１と電磁誘導加熱装置５とが対向する位置において、定着ベルトの周面と直角方向の振れが小さいため、これらの間隔が大きく変動するのを防止することができる。
【００５５】
なお、本実施例では、加圧ロール２のプロセススピードは１４０ｍｍ／ｓであり、定着ベルト１は該加圧ロール２に従動して周速１４０ｍｍ／ｓで周回移動する。そして、ニップ部入り口の温度が、装置立ち上げ時に１８０℃、通常定着時に１７０℃となるように制御されており、１分間にＡ４用紙３０枚の良好なカラー定着画像を形成することができる。この装置では、起動時に定着ベルトのウォーミングアップに要する時間は、１２００Ｗの電力投入時に約１０秒であり、非常に短い待ち時間で装置が使用可能な状態となる。このため、使用する時だけ電力を供給すればよく、スタンバイモードやローパワーモードを必要とせず、消費電力を低減することができる。
【００５６】
ここで、上記定着装置において、定着ベルト１の静止時の形状、すなわち自身の剛性によって維持される形状を基準として、定着ベルト１が周回移動したときの周面と直角方向への変位量を、該定着ベルトの周方向の所定の位置毎にレーザー変位計を用いて測定した結果を表１に示す。測定位置は、ニップ部内の中心位置を０°とし、定着ベルトの回転方向をプラスの角度として表すものとする。また、幅方向で最も変位が大きい中央部についてのみの測定とし、定着ベルトの周回駆動時において、上記基準から最も振れた量を最大変位量とする。通常、最大変位が生じるのは、定着ベルトの周回駆動開始時のニップ痕が残っている時であり、このニップ痕が定着ベルトの温度上昇につれて小さくなるのと共に、変位量も徐々に減少する。また、加熱されてニップ痕が解消したときの、定着ベルトの幅方向の各位置における変位量の平均値を平均変位量とし、定着ベルトの幅方向の中央部における変位量の最大値と最小値との差を定常時振れ幅とする。
【００５７】
【表１】
2005062554.tif 000003
定着ベルト１はニップ部出口付近において最も大きく周面と直角方向に張り出し、表１によれば、９０°の位置では最大変位量が２．５ｍｍ、平均変位量が１．４ｍｍとなっている。本実施例の電磁誘導加熱装置５と被加熱体である１０μｍの銅層を有する定着ベルト１との組み合わせでは、コイルカバー５ｃと定着ベルト１の表面との距離は１．５mm以下にする必要があるため、定着ベルト１にニップ痕が残っている場合には、従来例のように、電磁誘導加熱装置が図１に示すＡ−Ａ上の位置にあると、該定着ベルト１とコイルカバー５ｃとが接触してしまう。一方、１０５°の位置では最大変位量が１．３ｍｍであり、さらに１２０°の位置では１ｍｍであり、振れ幅や組立て公差を考慮しても定着ベルト１とコイルカバー５ｃとが接触するのを避けることができる。
【００５８】
本実施例における電磁誘導加熱装置５は、図１中に示す軸線Ａ−Ａ上の位置より下流側の軸線Ｂ−Ｂ上を中心として、コイル支持部材５ｂ及びコイルカバー５ｃが定着ベルト１の外周面に沿って約１８０°の領域を覆い、励磁コイル５ａが約１６０°の領域を覆うように配置されている。そして、この軸線Ｂ−Ｂ上の位置を軸線Ａ−Ａ上の位置より１５°以上下流側に設定することによって、コイルカバー５ｃの上流側の端部がニップ中心より１０５°以上下流側に配置され、定着ベルト１とコイルカバー５ｃとの接触を防止することができる。
【００５９】
一方、ニップ部入口付近では平均変位量が小さく、定着ベルトは安定した形状を維持しているのに対して、ニップ部出口付近では定着ベルトの幅方向における中央部の変位量と両端部の変位量とに差がある。このため、従来のように、ニップ部出口付近で定着ベルトと対向するように励磁コイルが配置されている場合、定着ベルトの中央部と励磁コイルとが接近して発熱量が多くなり、幅方向に温度ムラが生じてしまう。本実施例では、中央部が両端部に対して約0.4ｍｍ張り出しており、従来の電磁誘導加熱装置の配置では、図８に示すように、中央部の温度が両端部より１０℃高くなってしまう。
【００６０】
また、ニップ部入口付近では定常時振れ幅が０．１ｍｍであるのに対し、ニップ部出口付近では０．２ｍｍとなっている。このため、従来の電磁誘導加熱装置の配置では、ニップ部出口付近において定着ベルトの変位量によって発熱量が異なり、１周回（約９０ｍｍ）で周方向に１０℃の温度ムラが生じてしまう。結果として、光沢度の高い用紙に乗ったベタ画像では、目視によって光沢のムラが判別できてしまう。
【００６１】
そこで、平均変位量及び定常時振れ幅の比較的小さい１０５°より下流側に電磁誘導加熱装置を配置したところ、図８に示すように、中央部の温度と両端部の温度との差が約２度となった。そして、加熱効率が良好となって、ウォームアップタイムを１０％（１秒）程短縮することができた。また、周方向の温度差も５℃となり、目視で光沢ムラが判別できない程度に良好な定着画像を得ることができた。
【００６２】
また、剥離補助部材８と励磁コイル５ａとの距離が離れたので、剥離補助部材８を加熱することが無くなり、投入した電力を定着ベルトの加熱のみに使用することができ、非常に加熱効率の良い定着装置とすることが出来た。
【００６３】
ここで、電磁誘導加熱装置５の周方向の中心部の位置を、ニップ部の反対側つまりニップ中心より上下流側に等距離となる軸線Ａ−Ａ上の位置より４５°以上、例えば５０°下流側に設定すると、記録紙がニップ部に入る進入路が狭くなり、Ａ３サイズの記録紙を定着する際に、記録紙の後端部分がニップ部に入る前に、電磁誘導加熱装置５に接触してしまい、記録紙上の未定着トナー画像が乱れて画像欠陥となるという問題が生じてしまう。よって、電磁誘導加熱装置５の周方向の中心部の位置は、軸線Ａ−Ａ上の位置から１５°〜４５°の範囲で下流側の位置に設定するのが好ましい。
【００６４】
本発明では、コイルカバーの厚さを1mmとし、コイルカバーとベルト表面との距離を1.5mmとしたが、強度、熱による変形などに問題が無ければ、コイルカバーの厚さを薄くすることも当然可能であり、薄くすることで距離が広がり、ベルトとコイルとが接触する危険が減るし、逆に薄くした分、電磁誘導加熱装置とベルト表面との距離を近づけて、磁気的結合を強めても良い。また、ベルトの変位が最大となり最も接触の危険が大きいニップ出口側において、コイルカバーを部分的に削り、クリアランスを広げても良い。
【図面の簡単な説明】
【００６５】
【図１】本願に係る発明の一実施形態である定着装置の概略断面図である。
【図２】本願に係る発明の一実施形態である定着装置の概略正面図である。
【図３】図１に示す定着装置で用いられる定着ベルトを示す拡大断面図である。
【図４】図１に示す定着装置で用いられる押圧パッドを示す概略形状図である。
【図５】図１に示す定着装置で用いられるパッド支持部材及びガイド部材を示す概略        斜視図である。
【図６】電磁誘導加熱装置が有する励磁コイルの配置を示す図である。
【図７】周回駆動される定着ベルトの形状を示す平面図である。
【図８】本実施例の定着ベルトの幅方向の温度を示す図である。
【符号の説明】
【００６６】
１：定着ベルト、  ２：加圧ロール、  ３：押圧パッド、  ４：パッド支持部材、  ５：電磁誘導加熱装置、  ６：ガイド部材、  ７：金属ロール、  ８：剥離補助部材、  ９：摺動シート、  ３ａ：台座、  ３ｂ：弾性部材、  ５ａ：励磁コイル、  ５ｂ：コイル支持部材、  ５ｃ：コイルカバー、  ５ｄ：励磁回路
【図１】
2005062554.tif 000004
【図２】
2005062554.tif 000005
【図３】
2005062554.tif 000006
【図４】
2005062554.tif 000007
【図５】
2005062554.tif 000008
【図６】
2005062554.tif 000009
【図７】
2005062554.tif 000010
【図８】
2005062554.tif 000011